(57)【特許請求の範囲】
【請求項１】
ストレッチフィルムを原反から引き出し、前記原反を製品のまわりに回転させ、前記ストレッチフィルムを前記製品の一部に巻き付け、前記ストレッチフィルムによって前記製品の一部を結束包装する結束包装機であって、
前記ストレッチフィルムの幅方向にのびるガイド棒と、
巻き付け完了前、前記ガイド棒を前記ストレッチフィルムの幅方向に移動させ、前記原反の回転軌道と前記製品間に前進させ、前記原反の回転にともない、前記ストレッチフィルムを前記ガイド棒に係合させるガイド棒駆動機構と、
巻き付け完了後、ニップ爪を前記ストレッチフィルムの幅方向に移動させ、前記原反と前記ガイド棒間において、前記ニップ爪によって前記ストレッチフィルムをニップするニップ爪駆動機構と、
ニップ後、前記ニップ爪と前記ガイド棒間において、前記ストレッチフィルムをカットするカッタとを備えたことを特徴とする結束包装機。
【請求項２】
前記ニップ爪駆動機構は、前記原反が一回転し、前記ストレッチフィルムが完全に巻き付けられる前、前記ニップ爪を前記ストレッチフィルムの幅方向に移動させ、前記ニップ爪を前記原反の回転軌道と製品間から後退させ、前記ストレッチフィルムの先端を前記ストレッチフィルムの幅方向に引き出し、前記ストレッチフィルムが完全に巻き付けられた後、前記ストレッチフィルムを前記ニップ爪から解放するよう構成されていることを特徴とする請求項１に記載の結束包装機。
【請求項３】
さらに、前記ストレッチフィルムの解放後、エアをエアノズルから噴出させ、前記ストレッチフィルムの先端に吹き付け、前記エアによって前記ストレッチフィルムの先端を曲げ返し、その後、前記原反の回転にともない、前記ストレッチフィルムの先端がストレッチフィルムの層間に挟まれ、被覆されるようにしたことを特徴とする請求項２に記載の結束包装機。
【発明の詳細な説明】
【０００１】
【産業上の利用分野】
この発明は、ストレッチフィルムを製品の一部に巻き付け、ストレッチフィルムによって製品の一部を結束包装する結束包装機に関するものである。
【０００２】
【従来技術とその問題点】
以前、出願人は新しい形式の結束包装機を開発し、提案した。特公平７−５９４０４号公報に記載されているものがそれである。同公報の結束包装機では、ストレッチフィルムが原反から引き出され、原反が製品のまわりを回転し、ストレッチフィルムが製品の一部に巻き付けられ、ストレッチフィルムによって製品の一部が結束包装される。
【０００３】
ところで、同公報の結束包装機では、ストレッチフィルムの巻き付け完了後、原反と製品間において、ニップ爪によってストレッチフィルムがニップされ、その後、ニップ爪と製品間において、カッタによってストレッチフィルムがカットされる。しかしながら、原反と製品間のストレッチフィルムについては、その位置は常に一定であるとは限らない。特に、異なる幅の製品の一部を結束包装するとき、ニップ爪と製品間において、製品の幅によってストレッチフィルムがずれ、その位置が変化する。このため、ニップ爪によってストレッチフィルムがニップされないことがあった。ニップ爪と製品間のストレッチフィルムについても、製品の幅によってストレッチフィルムがずれ、その位置が変化し、カッタによってストレッチフィルムがカットされないことがある。
【０００４】
【発明の目的】
したがって、この発明の目的は、ストレッチフィルムを原反から引き出し、原反を製品のまわりに回転させ、ストレッチフィルムを製品の一部に巻き付け、ストレッチフィルムによって製品の一部を結束包装する結束包装機において、巻き付け完了後、ストレッチフィルムが確実にニップされ、確実にカットされるようにすることにある。
【０００５】
【発明の構成】
この発明によれば、ストレッチフィルムを原反から引き出し、前記原反を製品のまわりに回転させ、前記ストレッチフィルムを前記製品の一部に巻き付け、前記ストレッチフィルムによって前記製品の一部を結束包装する結束包装機であって、
前記ストレッチフィルムの幅方向にのびるガイド棒と、
巻き付け完了前、前記ガイド棒を前記ストレッチフィルムの幅方向に移動させ、前記原反の回転軌道と前記製品間に前進させ、前記原反の回転にともない、前記ストレッチフィルムを前記ガイド棒に係合させるガイド棒駆動機構と、
巻き付け完了後、ニップ爪を前記ストレッチフィルムの幅方向に移動させ、前記原反と前記ガイド棒間において、前記ニップ爪によって前記ストレッチフィルムをニップするニップ爪駆動機構と、
ニップ後、前記ニップ爪と前記ガイド棒間において、前記ストレッチフィルムをカットするカッタとを備えたことを特徴とする結束包装機が提供される。
【０００６】
前記ニップ爪駆動機構は、前記原反が一回転し、前記ストレッチフィルムが完全に巻き付けられる前、前記ニップ爪を前記ストレッチフィルムの幅方向に移動させ、前記ニップ爪を前記原反の回転軌道と製品間から後退させ、前記ストレッチフィルムの先端を前記ストレッチフィルムの幅方向に引き出し、前記ストレッチフィルムが完全に巻き付けられた後、前記ストレッチフィルムを前記ニップ爪から解放するよう構成されていることが好ましい。
【０００７】
さらに、前記ストレッチフィルムの解放後、エアをエアノズルから噴出させ、前記ストレッチフィルムの先端に吹き付け、前記エアによって前記ストレッチフィルムの先端を曲げ返し、その後、前記原反の回転にともない、前記ストレッチフィルムの先端がストレッチフィルムの層間に挟まれ、被覆されるようにすることが好ましい。
【０００８】
【実施例の説明】
以下、この発明の実施例を説明する。
【０００９】
図１はこの発明にかかる結束包装機を示す。この結束包装機は製品１の一部を結束包装するためのものである。この実施例では、特公平７−５９４０４号公報のものと同様、コンベヤ２の両側において、それぞれストレッチフィルム３の原反４が設けられており、製品１の両端がコンベヤ２の両側に突出し、これが結束包装機の位置に送られ、シリンダ５および押さえ板６によって製品１の中央部が押さえられる。その後、コンベヤ２の両側において、ストレッチフィルム３によって製品１の両端が結束包装される。
【００１０】
コンベヤ２の両側において、原反４は回転リング７に取り付けられ、コンベヤ２側に突出し、回転可能に案内されており、図２に示すように、サポートローラ８が回転リング７の外周みぞ９にはめ込まれ、サポートローラ８によって回転リング７が支持されていることも上記公報のものと同様である。さらに、スプロケット１０およびチェーンによって回転リング７とモータが連結されており、モータによって回転リング７を回転させることができる。
【００１１】
さらに、ストレッチフィルム３が原反４から引き出され、ガイドローラ１１を通り、ニップ爪１２，１３に導かれ、ニップ爪１２，１３によってストレッチフィルム３がニップされる。ガイドローラ１１はブラケット１４に支持され、ブラケット１４は回転リング７に固定されている。ニップ爪はメイン爪１２と補助爪１３からなり、メイン爪１２および補助爪１３がストレッチフィルム３の幅方向に対向し、補助爪１３はストレッチフィルム３の一側縁からその全幅の２０〜３０％をニップし、メイン爪１２はストレッチフィルム３の他側縁からその全幅の８０〜７０％をニップすることも上記公報のものと同様である。
【００１２】
そして、製品１の両端が結束包装されるとき、モータによって回転リング７が駆動され、回転し、図３に示すように、原反４が製品１のまわりを回転し、ストレッチフィルム３が製品１の両端に巻き付けられる。さらに、上記公報のものと同様、回転リング７および原反４が回転し始めた直後、ストレッチフィルム３がメイン爪１２から解放され、メイン爪１２はストレッチフィルム３の幅方向に移動し、原反４の回転軌道と製品１間から後退する。その後、原反４が一回転し、ストレッチフィルム３が完全に巻き付けられる前、補助爪１３がストレッチフィルム３の幅方向に移動し、原反４の回転軌道と製品１間から後退し、ストレッチフィルム３の先端１５がストレッチフィルム３の幅方向に引き出される。図４はそのプラスチックフィルム３の状態を示す。さらに、図５に示すように、ストレッチフィルム３が完全に巻き付けられた後、ストレッチフィルム３が補助爪１３から解放される。
【００１３】
したがって、そのままでは、ストレッチフィルム３の先端１５がストレッチフィルム３の幅方向にはみ出すが、図６に示すように、この結束包装機では、ストレッチフィルム３の解放後、エアシリンダなどの駆動機構によってエアノズル１６が操作され、エアノズル１６がストレッチフィルム３の幅方向に移動し、原反４の回転軌道と製品１間に前進し、ストレッチフィルム３の先端１５に対向し、エアがエアノズル１６から噴出する。したがって、エアがストレッチフィルム３の先端１５に吹き付けられ、エアによってストレッチフィルム３の先端１５が曲げ返され、その後、図７に示すように、原反４の回転にともない、ストレッチフィルム３の先端１５がストレッチフィルム３の層間に挟まれ、被覆される。したがって、図１２に示すように、ストレッチフィルム３の先端１５がストレッチフィルム３の幅方向にはみ出すことはない。
【００１４】
その後、ストレッチフィルム３が何回か巻き付けられることも上記公報の結束包装機と同様であるが、図８に示すように、この結束包装機の場合、特別にガイド棒１７が設けられており、ガイド棒１７はストレッチフィルム３の幅方向にのびる。そして、ストレッチフィルム３の巻き付け完了前、ガイド棒駆動機構によってガイド棒１７が駆動され、ガイド棒１７がストレッチフィルム３の幅方向に移動し、原反４の回転軌道と製品１間に前進する。したがって、その後、原反４の回転にともない、ストレッチフィルム３がガイド棒１７に係合し、回転リング７および原反４は図９の位置で停止する。さらに、巻き付け完了後、メイン爪１２および補助爪１３がストレッチフィルム３の幅方向に移動し、原反４とガイド棒１７間において、メイン爪１２および補助爪１３によってストレッチフィルム３がニップされる。ニップされるとき、異なる幅Ｗの製品１であっても、それに関係なく、原反４とガイド棒１７間のストレッチフィルム３については、その位置は常に一定に保たれる。したがって、ストレッチフィルム３を確実にニップすることができる。さらに、ニップ後、カッタ１８がストレッチフィルム３の幅方向に移動し、図１０に示すように、メイン爪１２および補助爪１３とガイド棒１７間において、カッタ１８によってストレッチフィルム３がカットされる。カットされるとき、製品１の幅Ｗに関係なく、メイン爪１２および補助爪１３とガイド棒１７間のストレッチフィルム３については、その位置は常に一定に保たれる。したがって、ストレッチフィルム３を確実にカットすることができる。
【００１５】
これによって製品１が結束包装されるものであり、ストレッチフィルム３のカット後、コンベヤ２によって製品１が送られる。この実施例では、図１１に示すように、製品１が送られるとき、エアシリンダなどの駆動機構によってエアノズル１９が操作され、エアノズル１９がストレッチフィルム３の幅方向に移動し、原反４の回転駆動と製品１間に前進する。さらに、エアがエアノズル１９から噴出し、ストレッチフィルム３の終端に吹き付けられ、ストレッチフィルム３の終端が製品１のストレッチフィルム３にくっつき、保持される。さらに、その製品１が外部に取り出され、次の製品が結束包装機の位置に送られ、前述した工程が順次繰り返される。
【００１６】
図１３は他の実施例を示す。この結束包装機では、ストレッチフィルム３が原反４から引き出され、原反４と製品１間において、ストレッチフィルム３がガイドローラ２０を通り、テンションローラ２１にストレッチフィルム３が係合する。ガイドローラ２０およびテンションローラ２１はブラケット２２に支持され、ブラケット２２は回転リング７に固定されている。さらに、油圧ポンプ２３がブラケット２２に取り付けられ、支持され、チェーン２４およびテンションローラ２１に連結されており、図１４に示すように、油圧回路２５によって油圧ポンプ２３の吐出口と吸入口が接続され、流量調整弁２６およびリリーフ弁２７が油圧回路２５に設けられている。
【００１７】
したがって、図１３の結束包装機において、モータによって回転リング７が駆動され、回転すると、原反４が製品１のまわりを回転し、ガイドローラ２０、テンションローラ２１および油圧ポンプ２３も製品１のまわりを回転する。したがって、ガイドローラ２０およびテンションローラ２１によってストレッチフィルム３が案内され、それが製品１の一部に導かれ、巻き付けられるものである。さらに、ストレッチフィルム３が製品１の一部に巻き付けられるとき、摩擦によってテンションローラ２１が回転し、テンションローラ２１およびチェーン２４によって油圧ポンプ２３が駆動され、回転し、油圧が油圧ポンプ２３から供給され、油圧回路２５を循環する。さらに、流量調整弁２６によって流量が制限され、これによって油圧ポンプ２３がブレーキングされ、テンションローラ２１がブレーキングされる。したがって、ストレッチフィルム３にテンションが与えられ、ストレッチフィルム３が的確に巻き付けられる。流量調整弁２６によってテンションを調整することもできる。テンションローラ２１および油圧ポンプ２３が高速度で回転し、油圧回路２５の油圧が過度に上昇したとき、リリーフ弁２７によってその油圧を逃がすこともでき、安全である。
【００１８】
【発明の効果】
以上説明したように、この発明によれば、ストレッチフィルム３の巻き付け完了後、ストレッチフィルム３を確実にニップすることができ、確実にカットすることができ、所期の目的を達成することができるものである。
【図面の簡単な説明】
【図１】この発明の実施例を示す側面図である。
【図２】図１の結束包装機の断面図である。
【図３】図１の結束包装機の次の工程を示す側面図である。
【図４】図３の結束包装機の次の工程を示す側面図である。
【図５】図４の結束包装機の次の工程を示す側面図である。
【図６】図５の結束包装機の次の工程を示す側面図である。
【図７】図６の結束包装機の次の工程を示す側面図である。
【図８】図７の結束包装機の次の工程を示す側面図である。
【図９】図８の結束包装機の次の工程を示す側面図である。
【図１０】図９の結束包装機の次の工程を示す側面図である。
【図１１】図１０の結束包装機の次の工程を示す側面図である。
【図１２】図１の結束包装機で結束包装された製品の斜視図である。
【図１３】他の実施例を示す断面図である。
【図１４】図１３の油圧ポンプの油圧回路図である。
【符号の説明】
１ 製品
３ ストレッチフィルム
４ 原反
１２，１３ ニップ爪
１５ ストレッチフィルムの先端
１６ エアノズル
１７ ガイド棒
１８ カッタ
２１ テンションローラ
２３ 油圧ポンプ
２５ 油圧回路
２６ 流量調整弁
２７ リリーフ弁
【図１】
0003683510.tif 000002
【図２】
0003683510.tif 000003
【図３】
0003683510.tif 000004
【図４】
0003683510.tif 000005
【図５】
0003683510.tif 000006
【図６】
0003683510.tif 000007
【図７】
0003683510.tif 000008
【図８】
0003683510.tif 000009
【図９】
0003683510.tif 000010
【図１０】
0003683510.tif 000011
【図１１】
0003683510.tif 000012
【図１２】
0003683510.tif 000013
【図１３】
0003683510.tif 000014
【図１４】
0003683510.tif 000015